(57)【要約】【課題】  フォロープレートの下面と、流体面との間に形成された気泡や空気層を外部から視認することができる汲出し装置を提供すること。【解決手段】  容器２に貯留されている貯留流体１４の流体面１４ａにフォロープレート２２が配置されていて、このフォロープレート２２に形成されている装着孔２２ａにポンプ２１の吸込み口部２１ａが装着され、この状態でポンプ２１によって貯留流体１４を吸込み口部２１ａから汲み上げて流出させることができる汲出し装置１３において、このフォロープレート２２を構成するプレート本体４３の全体を、透光性材料で形成したことを特徴とする。これによって、フォロープレート２２の下面と、流体面１４ａとの間に形成された気泡や空気層を外部から視認することができる。【選択図】      図３
2009185626.tif 000002
【特許請求の範囲】
【請求項１】
容器に貯留されている貯留流体の流体面に配置されると共に、前記貯留流体を汲み上げて流出させるポンプの吸込み口部に装着される装着孔を備える汲出し装置用フォロープレートにおいて、
当該フォロープレートの一部、又は全部における、表側面から裏側面に亘る範囲を透光性材料で形成したことを特徴とする汲出し装置用フォロープレート。
【請求項２】
当該フォロープレートの外周部には、前記容器又は当該容器内に収容されている袋体の側壁の内周面に付着する前記貯留流体を掻き取ることができる掻き取り部が設けられていることを特徴とする請求項１記載の汲出し装置用フォロープレート。
【請求項３】
前記フォロープレートが備える装着孔は、前記ポンプの吸込み口部と着脱自在に密封嵌合して結合するように構成されていることを特徴とする請求項１又は２記載の汲出し装置用フォロープレート。
【請求項４】
ポンプによって汲み上げられて流出される貯留流体を貯留することができると共に、前記ポンプの吸込み口に装着される装着孔を備えるフォロープレートを内側に収容することができる汲出し装置用容器において、
前記容器の側壁の一部、又は全部における、外側面から内側面に亘る範囲を透光性材料で形成したことを特徴とする汲出し装置用容器。
【請求項５】
請求項１乃至３のいずれかに記載の汲出し装置用フォロープレートを備え、
前記容器に貯留されている前記貯留流体を前記ポンプで汲み上げて流出させる汲出し装置。
【請求項６】
請求項４記載の汲出し装置用容器を備え、
前記容器に貯留されている前記貯留流体を前記ポンプで汲み上げて流出させる汲出し装置。
【請求項７】
前記ポンプと、このポンプが固定して設けられている支柱と、前記容器を保持することができ前記支柱に沿って昇降自在に設けられている昇降部と、一端側が前記昇降部と結合し前記容器内の貯留流体の流体面を前記フォロープレートに押し付ける上昇方向に前記昇降部を付勢するばねとを備えることを特徴とする請求項５又は６記載の汲出し装置。
【請求項８】
前記ばねは、引っ張りばねであり、前記昇降部を吊り下げており、前記ばねの上端側が昇降作動部によって昇降移動されることを特徴とする請求項７記載の汲出し装置。
【発明の詳細な説明】
【技術分野】
【０００１】
本発明は、例えばペール缶やドラム缶等の容器に貯留されているペースト状又はクリーム状のシール剤、制振剤、軟膏、パテ剤等の高粘度流体、水に近い粘性を有する低粘度液等の各種流体又は粉粒体を、ポンプで汲み上げて流出させることができる汲出し装置、このような汲出し装置に使用することができる汲出し装置用フォロープレート、及び汲出し装置用容器に関する。
【背景技術】
【０００２】
従来の汲出し装置の一例を図１１（ａ）、（ｂ）、（ｃ）を参照して説明する。この汲出し装置１は、図１１（ｃ）に示すように、ペール缶等の容器２に貯留されている液体３をポンプ装置４で吸い込んで、その吸い込んだ液体３を、フレキシブル管５及び固定供給管６を介して所定の供給場所に供給することができるものである。このポンプ装置４は、図１１（ａ）、（ｂ）に示すように、略短円筒形のケーシング７を備え、このケーシング７の下端部が吸込み口部７ａとして形成され、上端部の近傍に流出口部７ｂが形成されている。この流出口部７ｂは、フレキシブル管５を介して固定供給管６と接続している。また、このポンプ装置４は、ブラケット８を介して昇降装置９に取り付けられており、この昇降装置９によって昇降移動することができる。
【０００３】
この汲出し装置１を使用して容器２内の液体３を汲み出すときは、まず、図１１（ａ）に示すように、ポンプ装置４の吸込み口部７ａにフォロープレート１０を取り付ける。そして、ポンプ装置４の下方位置に、液体３が貯留されている容器２を基台１１上に載置する。
【０００４】
次に、図１１（ｂ）に示すように、昇降装置９を作動させてポンプ装置４を下降させ、フォロープレート１０の下面が容器２内の液体３の液面に接触する位置でポンプ装置４の下降を停止させる。このポンプ装置４の昇降移動は、ポンプ装置４のブラケット８と連結するチェーン９ａを上下方向に走行させることによって行われている。
【０００５】
次に、図１１（ｃ）に示すように、ブラケット８をチェーン９ａから切り離して、ポンプ装置４が昇降装置９の支柱１２に沿って、上下方向に自由に移動できるようにする。しかる後に、ポンプ装置４を作動させる。ポンプ装置４が作動すると、吸込み口部７ａから容器２内の液体３を吸い込んで、流出口部７ｂから吐出し、液体３をフレキシブル管５及び固定供給管６を介して所定の供給場所に供給することができる。そして、容器２内の液体３がポンプ装置４によって汲み出されて減少していくと、それに伴ってポンプ装置４及びフォロープレート１０が、その自重によって液面に追従して下降していく。従って、容器２内の略全ての液体３をこのポンプ装置４を使用して汲み出すことができる。
【０００６】
また、従来の汲出し装置の他の例として、図には示さないが、図１１（ｃ）に示す容器２内の液体３を汲み出すときに、ポンプ装置４をチェーン９ａから切り離さずに、容器２内の液面の下降に伴って、ポンプ装置４を昇降装置９によって下降移動させるものがある（例えば、特許文献１参照。）。
【特許文献１】特開２００５−１３３６７６号公報
【発明の開示】
【発明が解決しようとする課題】
【０００７】
しかし、図１１（ａ）、（ｂ）、（ｃ）に示す前者の従来の汲出し装置１、及び図示しない後者の従来の汲出し装置では、図１１（ｂ）に示すように、フォロープレート１０を下降させて、フォロープレート１０の下面を容器２内の液体３の液面に接触させたときに、図１２に示すように、フォロープレート１０の下面と、液面との間に気泡Ｎが形成されることがある。
【０００８】
そして、このように液面に気泡Ｎが形成された状態で、この汲出し装置１によって液体３を汲み出すと、この汲み出された液体３に気泡Ｎが混入することがあり、この気泡Ｎに含まれる水分によって、液体３が変質することが考えられる。更に、この汲出し装置１によって汲み出される液体３の汲出し量は、このような気泡Ｎによって、その体積分だけばらつくこととなる。
【０００９】
なお、図１２に示すように、フォロープレート１０の下面と、液面との間に気泡Ｎが形成され場合に、フォロープレート１０を容器２から取り外して気泡Ｎを除去することが考えられるが、これらフォロープレート１０及び容器２は、不透明材料で形成されているので、作業者は、気泡Ｎを視認することができず、気泡Ｎを除去することができない。
【００１０】
また、図１１（ａ）、（ｂ）、（ｃ）に示す前者の従来の汲出し装置１、及び図示しない後者の従来の汲出し装置では、ポンプ装置４に取り付けられているフォロープレート１０を容器２内の液体３の液面に接触させて汲出しを開始するときや、容器２内の液体３を汲み出しているときに、更に、容器２内の液体３の汲出しが終了したときに、ポンプ装置４が昇降移動できるようにする必要がある。そのために、このポンプ装置４の流出口部７ｂと固定供給管６との間に接続される管は、フレキシブル管５を採用する必要がある。更に、ポンプ装置４が昇降移動するとき、ポンプ装置４やフレキシブル管５に対して、局部的に力が掛からないようにするために、フレキシブル管５を或る程度余裕のある長さに設定する必要もある。
【００１１】
更に、図１１（ｃ）に示す従来の汲出し装置１では、ポンプ装置４によって汲出し作業を行うときに、ポンプ装置４が昇降装置９から切り離されているので、ポンプ装置４の重量がフォロープレート１０上に掛かることとなる。これによって、フォロープレート１０の外周部と容器２の内周面との接触部分から容器２内の液体３が漏れ出て、その漏れ出た液体３がフォロープレート１０の上面やポンプ装置４の吸込み口部７ａを汚すことがある。
【００１２】
本発明は、上記のような課題を解決するためになされたものであり、フォロープレートの下面と、流体面との間に形成された気泡や空気層を外部から視認することができるフォロープレート、容器の側壁と、貯留流体との間に形成された気泡や空気層を外部から視認することができる容器、並びに比較的安価であって小型化することができ、フォロープレートと容器との当接部からの流体の漏れによってフォロープレートを汚すことを防止できる汲出し装置を提供することを目的としている。
【課題を解決するための手段】
【００１３】
請求項１の発明に係る汲出し装置用フォロープレートは、容器に貯留されている貯留流体の流体面に配置されると共に、前記貯留流体を汲み上げて流出させるポンプの吸込み口部に装着される装着孔を備える汲出し装置用フォロープレートにおいて、当該フォロープレートの一部、又は全部における、表側面から裏側面に亘る範囲を透光性材料で形成したことを特徴とするものである。
【００１４】
請求項１の発明に係る汲出し装置用フォロープレートによると、このフォロープレートを、容器に貯留されている貯留流体の流体面に配置すると共に、ポンプの吸込み口部をこのフォロープレートに装着した状態で、ポンプを作動させることによって容器内の貯留流体を汲み出すことができる。この際、フォロープレートの裏側面と、容器内の貯留流体の流体面との間に気泡や空気層が形成されている場合は、作業者は、フォロープレートの透光性材料で形成されている部分を通してその気泡や空気層を視認することができる。
【００１５】
請求項２の発明に係る汲出し装置用フォロープレートは、請求項１の発明において、当該フォロープレートの外周部には、前記容器又は当該容器内に収容されている袋体の側壁の内周面に付着する前記貯留流体を掻き取ることができる掻き取り部が設けられていることを特徴とするものである。
【００１６】
請求項２の発明に係る汲出し装置用フォロープレートによると、容器内の貯留流体がポンプによって汲み出されてその流体面が容器の底部に接近するにつれて、フォロープレートも容器の底部に接近することができる。このとき、フォロープレートの外周部に設けられている掻き取り部が、容器の側壁の内側面に付着する貯留流体を掻き取りながら容器の底部に接近することができる。よって、容器の内側面に付着する貯留流体を、残さずに汲み出すことができる。
【００１７】
なお、貯留流体が袋体内に収容された状態で容器内に貯留されている場合は、掻き取り部は、袋体の側壁の内側面に付着する貯留流体を掻き取りながら容器の底部に接近することができる。よって、袋体の側壁の内側面に付着する貯留流体も、残さずに汲み出すことができる。
【００１８】
請求項３の発明に係る汲出し装置用フォロープレートは、請求項１又は２の発明において、前記フォロープレートが備える装着孔は、前記ポンプの吸込み口部と着脱自在に密封嵌合して結合するように構成されていることを特徴とするものである。
【００１９】
請求項３の発明に係る汲出し装置用フォロープレートによると、ポンプの吸込み口部を装着孔に装着することによって、装着孔の内周面がポンプの吸込み口部と嵌合し、これによって着脱自在に結合することができる。そして、その嵌合部は、密封されるので、外気が嵌合部を通って容器内に流入することがなく、よって、気体が貯留流体内に混入しないように汲み出すことができる。
【００２０】
請求項４の発明に係る汲出し装置用容器は、ポンプによって汲み上げられて流出される貯留流体を貯留することができると共に、前記ポンプの吸込み口に装着される装着孔を備えるフォロープレートを内側に収容することができる汲出し装置用容器において、前記容器の側壁の一部、又は全部における、外側面から内側面に亘る範囲を透光性材料で形成したことを特徴とするものである。
【００２１】
請求項４の発明に係る汲出し装置用容器によると、この容器に貯留されている貯留流体の流体面にフォロープレートを配置すると共に、ポンプの吸込み口部をこのフォロープレートの装着孔に装着した状態で、ポンプを作動させることによって容器内の貯留流体を汲み出すことができる。この際、容器の内側面と、容器内の貯留流体との間に気泡や空気層が形成されている場合は、作業者は、容器の透光性材料で形成されている部分を通してその気泡や空気層を視認することができる。なお、貯留流体が袋体内に収容された状態で容器内に貯留されている場合は、袋体を透光性材料で形成することによって、容器の透光性材料で形成されている部分及び袋体を通してその気泡や空気層を視認することができる。
【００２２】
請求項５の発明に係る汲出し装置は、請求項１乃至３のいずれかの発明の汲出し装置用フォロープレートを備え、前記容器に貯留されている前記貯留流体を前記ポンプで汲み上げて流出させるものである。
【００２３】
請求項５の発明に係る汲出し装置によると、フォロープレートを、容器に貯留されている貯留流体の流体面に配置すると共に、ポンプの吸込み口部をこのフォロープレートの装着孔に装着した状態で、ポンプを作動させることによって容器内の貯留流体を汲み出すことができる。フォロープレートは、上記と同様に作用する。
【００２４】
請求項６の発明に係る汲出し装置は、請求項４の発明の汲出し装置用容器を備え、前記容器に貯留されている前記貯留流体を前記ポンプで汲み上げて流出させるものである。
【００２５】
請求項６の発明に係る汲出し装置によると、フォロープレートを、容器に貯留されている貯留流体の流体面に配置すると共に、ポンプの吸込み口部をこのフォロープレートの装着孔に装着した状態で、ポンプを作動させることによって容器内の貯留流体を汲み出すことができる。容器は、上記と同様に作用する。
【００２６】
請求項７の発明に係る汲出し装置は、請求項５又は６の発明において、前記ポンプと、このポンプが固定して設けられている支柱と、前記容器を保持することができ前記支柱に沿って昇降自在に設けられている昇降部と、一端側が前記昇降部と結合し前記容器内の貯留流体の流体面を前記フォロープレートに押し付ける上昇方向に前記昇降部を付勢するばねとを備えることを特徴とするものである。
【００２７】
請求項７の発明に係る汲出し装置によると、容器内の貯留流体がポンプによって汲み出されて貯留流体の流体面が下降しようとすると、容器内の貯留流体の重量が小さくなるので、貯留流体の重量によるばねの変形量もそれに伴って小さくなり、容器が上昇移動することとなる。これによって、貯留流体の流体面が略一定の高さに維持される。従って、容器内の貯留流体の流体面にフォロープレートが配置されていて、このフォロープレートの装着孔にポンプの吸込み口部が装着されている状態を維持することができ、容器内の貯留流体を連続して汲み出すことができる。
【００２８】
そして、ポンプが支柱に固定して設けられているので、ポンプが容器内の貯留流体を汲み出しているときに、ポンプ及びこのポンプに接続される管の重量がフォロープレートに掛かることがなく、更に、ばねが容器を上昇方向に付勢する構成としているので、フォロープレートが容器内の貯留流体の流体面を、略一定の例えば僅かな力で押し付けているようにすることができる。この状態で、ポンプによって容器内の貯留流体の汲出し作業を行うと、この汲出し作業を開始したときから汲出し作業を終了するまでの全期間において、フォロープレートが容器内の貯留流体の流体面を、略一定の僅かな力で押し付けているようにすることができる。
【００２９】
請求項８の発明に係る汲出し装置は、請求項７の発明において、前記ばねは、引っ張りばねであり、前記昇降部を吊り下げており、前記ばねの上端側が昇降作動部によって昇降移動されることを特徴とするものである。
【００３０】
請求項８の発明に係る汲出し装置によると、昇降部がばねを介して昇降作動部に吊り下げられているので、昇降作動部を作動させることによって、昇降部を所定の下降位置に下降させることができる。昇降部が所定の下降位置にあるときに、この昇降部に、貯留流体が貯留されている容器を保持させることができる。そして、昇降作動部を作動させることによって、昇降部を上昇移動させることができ、これによって、容器内の貯留流体の流体面にフォロープレートが配置されていて、このフォロープレートの装着孔にポンプの吸込み口部が装着された状態にすることができる。しかる後に、容器内の貯留流体の汲出し作業を行うことができる。
【００３１】
なお、予めフォロープレートを容器内の貯留流体の流体面に配置しておき、その後で容器を上昇させることによって、フォロープレートの装着孔にポンプの吸込み口部を装着してもよいし、又は、予めフォロープレートをポンプの吸込み口部に装着しておき、その後で容器を上昇させることによって、フォロープレートを容器内の貯留流体の流体面に接触させてもよい。
【発明の効果】
【００３２】
請求項１の発明に係る汲出し装置用フォロープレート、及び請求項５の発明に係る汲出し装置によると、フォロープレートの一部、又は全部における、表側面から裏側面に亘る範囲を透光性材料で形成した構成としたので、この透光性材料で形成されている部分を通して、フォロープレートの裏側面と、容器内の貯留流体の流体面との間に形成されることがある気泡や空気層を視認することができるし、貯留流体の品質も視認することができる。そして、気泡や空気層を視認したときは、例えばフォロープレートを流体面から取り外して、気泡や空気層が形成されないようにその流体面をヘラ等で平坦にならした後に、フォロープレートを流体面に配置する。しかる後に、気泡や空気層が形成されていないことを確認して、気泡や空気が混入していない貯留流体を汲み出すことができる。
【００３３】
請求項４の発明に係る汲出し装置用容器、及び請求項６の発明に係る汲出し装置によると、容器の側壁の一部、又は全部における、外側面から内側面に亘る範囲を透光性材料で形成した構成としたので、この透光性材料で形成されている部分を通して、容器の側壁の内側面と、容器内の貯留流体との間に形成されることがある気泡や空気層を視認することができるし、貯留流体の品質も視認することができる。そして、気泡や空気層を視認したときは、例えばその気泡や空気層を除去した後で、又は、気泡や空気層が形成されていない貯留流体に交換した後で汲出し作業を行うことができる。
【００３４】
請求項７の発明に係る汲出し装置によると、ポンプを支柱に固定して設けて、ポンプが容器内の貯留流体を汲み出しているときに、ポンプ及びこのポンプに接続される管の重量がフォロープレートに掛かることがないようにすると共に、容器内に貯留されている貯留流体の流体面をフォロープレートに押し付ける上昇方向に、容器をばねによって付勢する構成としたので、貯留流体の比重等に基づいてばね定数を設定することによって、汲出し作業中におけるフォロープレートが貯留流体の流体面を押し付ける力が略一定の僅かな力となるようにすることができる。従って、フォロープレートの貯留流体の流体面に対する押付け力が大きくなり過ぎることがなく、その結果、フォロープレートの外周部と容器の内周面との接触部分から容器内の貯留流体が漏れ出て、貯留流体がフォロープレートの上面やポンプの吸込み口部を汚すことがなく、クリーンな作業環境を実現することができる。
【００３５】
そして、ポンプが支柱に固定されており、昇降移動しないので、ポンプの流出口部に、例えばフレキシブル管を接続する場合に、ポンプが昇降移動できるようにフレキシブル管を余裕のある長さに設定するということが不要となる。従って、比較的短いフレキシブル管を使用することができるので、その分だけ汲出し装置全体の嵩を比較的小さくすることができる。
【発明を実施するための最良の形態】
【００３６】
以下、本発明に係る汲出し装置用フォロープレート（以下、単に「フォロープレート」と言うこともある。）、汲出し装置用容器（以下、単に「容器」と言うこともある。）、並びに、これらフォロープレート及び容器を備える汲出し装置の一実施形態を、図１〜図７を参照して説明する。この汲出し装置１３は、図４に示すように、フォロープレート２２、容器２、及びポンプ２１を備えている。このポンプ２１は、例えばドラム缶やペール缶等の容器２に貯留されている貯留流体１４を汲み上げて、流出口部１６から所定流量で流出させることができるものである。
【００３７】
この汲出し装置１３は、図には示さないが、塗布装置や充填装置等に適用することができるものである。この塗布装置は、汲出し装置１３によって汲み出された貯留流体１４を、流出口部１６に接続しているフレキシブル管３８及び固定供給管２６に所定流量で通して吐出機（図示せず）に供給し、そして、この吐出機から貯留流体１４を規定流量で吐出して各種部材に塗布することができるものである。
【００３８】
貯留流体１４は、例えばペースト状又はクリーム状の食品材料、シール剤、制振剤、軟膏、パテ剤等の高粘度液である。勿論、水に近い粘性を有する低粘度液も使用することができる。そして、容器２は、例えば上側に開口し、底部を有する短円筒形状のものであって、任意の高さにおける内側の横断面積Ｄが略一定である形状のものである。
【００３９】
汲出し装置１３は、図４及び図５に示すように、ポンプ装置１５を備え、このポンプ装置１５は、ブラケット１７を介して支柱１８の上端部に固定して取り付けられている。この支柱１８には、昇降機構部１９が設けられ、この昇降機構部１９によって昇降台２０及びこの昇降台２０上に載置されている容器２を昇降移動させることができるようになっている。
【００４０】
ポンプ装置１５は、図４及び図５に示すように、ポンプ２１の下端部に形成された吸込み口部２１ａから容器２内の貯留流体１４を吸い込んで、流出口部１６から所定流量で流出することができるものである。ポンプ２１は、その吸込み口部２１ａにフォロープレート２２が着脱自在に装着されるものであり、その上端部にポンプケーシング２３が取り付けられている。このポンプケーシング２３の上端部には、減速機２４及び電動モータ２５が取り付けられており、この減速機２４にブラケット１７が取り付けられている。そして、このブラケット１７を介して支柱１８の上端部にポンプ装置１５が固定して取り付けられている。
【００４１】
ポンプ２１は、図３に示すように、縦型の一軸偏心ねじポンプであり、ロータ３９とステータ４０とを有している。ロータ３９は、雄ねじ形状であり、雌ねじ形状の内孔４０ａを有するステータ４０に回動自在に装着されている。そして、このロータ３９の上端は、コネクティングロッド４１を介して減速機２４の回転軸と連結している。なお、コネクティングロッド４１の上下の各端部は、それぞれユニバーサルジョイント４２を介して減速機２４の回転軸、及びロータ３９と連結している。
【００４２】
また、図４に示すように、ポンプ２１の流出口部１６は、ホース等のフレキシブル管３８を介して固定供給管２６が接続している。この固定供給管２６は、支柱１８に沿って固定して取り付けられ、更に台座２７及び床３７の上面に沿って所定の供給場所まで配管されている。
【００４３】
昇降機構部１９は、図４及び図５に示すように、容器２が載置される昇降台２０を昇降させるためのものであり、上下方向に向けて配置されている一対のレール２８、２８を備えている。この一対のレール２８、２８に対して、昇降台２０がスライド部２９を介して昇降自在に設けられている。この一対のレール２８、２８は、１本の支柱１８に設けられており、この１本の支柱１８の下端部には台座２７が設けられている。そして、台座２７は、床３７に配置されている。
【００４４】
また、図５（ａ）に示すように、昇降台２０が取り付けられているスライド部２９は、連結具３０を介して引っ張りばね（引っ張りコイルばね）３１の下端部と連結しており、この引っ張りばね３１の上端部は、引っ掛け部３２を介してチェーン３３と連結している。このチェーン３３は、支柱１８の上端部に設けられている昇降作動部３４に巻き掛けられている。この昇降作動部３４は、例えばチェーンレバーホイスト等の巻上げ機であり、この昇降作動部３４に設けられている昇降ハンドル３４ａを作業者が回動操作することによって、チェーン３３を巻き上げたり巻き戻したりすることができる。これによって、昇降台２０及びこれに載置されている容器２をレール２８、２８に沿って昇降移動させることができる。
【００４５】
また、昇降作動部３４は、図５（ｂ）に示すように、昇降ハンドル３４ａを作業者が回動操作することによって、チェーン３３及び引っ張りばね３１を介して昇降台２０及びこれに載置されている容器２を吊り下げた状態にすることができる。従って、この状態で容器２内の貯留流体１４がポンプ２１で汲み出されて貯留流体１４の重量が小さくなっていくと、その分だけばね３１が短縮して、昇降台２０及び容器２は、レール２８、２８に沿って自動的に上昇移動するようになっている。
【００４６】
次に、図１及び図２を参照してフォロープレート２２を説明する。このフォロープレート２２は、図１（ａ）、（ｂ）に示すように、プレート本体４３と、掻き取り部４４とを備えている。
【００４７】
プレート本体４３は、一定の厚みを有する略円板状体であって、全体が透光性材料で形成されている。この透光性材料として、例えば透明又は半透明のポリカーボネイト、塩化ビニール、アクリル等の合成樹脂、及びガラス等を挙げることができる。よって、このプレート本体４３は、上面（表側面）から下面（裏側面）に亘る範囲が透光性材料で形成されている。
【００４８】
掻き取り部４４は、このプレート本体４３の外周部に設けられ、例えば発泡ポリエチレン等の合成樹脂や発泡合成ゴムの独立気泡体で形成されている。そして、掻き取り部４４は、柔軟性を有しており、容器２の内径よりも少し大きい直径に形成されている。従って、このフォロープレート２２を容器２内に圧入して装着したときは、掻き取り部４４の外周部と、容器２の内周面２ａとの接触部が密封される。
【００４９】
また、プレート本体４３は、図１（ａ）、（ｂ）に示すように、内部に円環状の空洞４５が形成され、この空洞４５によって、フォロープレート２２が貯留流体１４の流体面１４ａ上に略水平に浮かぶように軽量化されている。
【００５０】
なお、フォロープレート２２が貯留流体１４に浮かぶように軽量化するために、空洞４５を設けた構成としたが、これに代えて、プレート本体４３をなべ型形状にして、フォロープレート２２が貯留流体１４に浮かぶように構成してもよい。また、プレート本体４３が貯留流体１４よりも比重が小さい場合は、空洞４５を省略できるし、プレート本体４３の形状を平板状にすることができる。
【００５１】
更に、フォロープレート２２は、図２（ａ）に示すように、下面が平坦面として形成され、中央部に装着孔２２ａが形成されている。この装着孔２２ａは、下方に向かうに従って狭まるテーパ形状（逆円錐台形状）に形成されている。そして、この装着孔２２ａに装着されるポンプ２１の吸込み口部２１ａは、装着孔２２ａと対応するテーパ形状（逆円錐台形状）に形成されている。
【００５２】
また、装着孔２２ａは、図１（ｃ）に示すように、フォロープレート２２を、容器２に挿入して容器２内の貯留流体１４の流体面１４ａに配置するときに、フォロープレート２２の下面と、流体面１４ａとの間に存在する気泡Ｎや空気を、この装着孔２２ａに通して外気中に排出することができる。
【００５３】
更に、このように装着孔２２ａは、ポンプ２１の吸込み口部２１ａが装着孔２２ａに装着されたときに、装着孔２２ａが吸込み口部２１ａと嵌合して着脱自在に結合すると共に、その嵌合部が密封される構成となっている。
【００５４】
なお、装着孔２２ａ及び吸込み口部２１ａが互いに着脱自在に結合すると共に、その嵌合部が密封される構成として、両者のテーパ嵌合による構成としているが、これ以外の構成としてもよく、例えば装着孔２２ａの内周面に柔軟性を有する発泡合成樹脂製の封止部を設けた構成としてもよい。
【００５５】
また、図２（ａ）に示すように、ポンプ２１の吸込み口部２１ａが装着孔２２ａに対して、所定の深さで装着できるようにするために、吸込み口部２１ａに鍔状部２１ｂが設けられている。また、図４に示すように、昇降台２０の周囲には、安全カバー３５を取り付けてあり（図５〜図７では、安全カバー３５を図示しない。）、支柱１８には操作制御ボックス３６を取り付けてある。この操作制御ボックス３６は、ポンプ装置１５を作動及び停止させるためのものである。
【００５６】
次に、図１、図４及び図５に示すように構成された汲出し装置１３を使用して、容器２内の貯留流体１４を汲み出して、流出口部１６、フレキシブル管３８、及び固定供給管２６に通して所定の供給場所に供給する手順を説明する。
【００５７】
まず、図１（ａ）、（ｂ）、（ｃ）に示すように、作業者は、容器２内の貯留流体１４の流体面１４ａ上にフォロープレート２２を配置する。このように、フォロープレート２２を容器２内に装着するのは、例えば容器２を汲出し装置１３に取り付ける前の段階であって、フォロープレート２２の装着孔２２ａにポンプ２１の吸込み口部２１ａを装着していない状態である。なお、プレート本体４３の外周部に設けられている掻き取り部４４は、柔軟性を有しており、容器２の内径よりも少し大きい直径に形成されているので、フォロープレート２２を容器２内に圧入して装着したときは、掻き取り部４４が弾性的に変形して、その外周部と容器２の内周面２ａとの接触部が密封される。
【００５８】
この状態で、フォロープレート２２を容器２内に更に押し込んでいくと、フォロープレート２２の下面と、容器２内の貯留流体１４の流体面１４ａとの間に存在する気泡Ｎや空気を、この装着孔２２ａに通して外気中に排出することができる。このようにして、図１（ｃ）に示すように、フォロープレート２２を、その下面と流体面１４ａとの間に気泡Ｎや空気が存在しない状態で、その流体面１４ａに配置することができる。この際、貯留流体１４が装着孔２２ａ内に流入する状態となるまで、フォロープレート２２を容器２内に押し込む。
【００５９】
ただし、図１（ｄ）に示すように、容器２内の貯留流体１４の流体面１４ａ上にフォロープレート２２を配置したときに、フォロープレート２２の下面と、容器２内の貯留流体１４の流体面１４ａとの間に気泡Ｎや空気層が形成されている場合は、作業者は、フォロープレート２２の透光性材料で形成されているプレート本体４３を通してその気泡Ｎや空気層を視認することができる。そして、気泡Ｎや空気層を視認したときは、例えばフォロープレート２２を流体面１４ａ及び容器２から取り外して、気泡Ｎや空気層が形成されないようにその流体面１４ａをヘラ等で平坦にならした後に、フォロープレート２２を流体面１４ａに配置する。しかる後に、気泡Ｎや空気層が形成されていないことを確認して、気泡Ｎや空気が混入していない貯留流体１４を汲み出すことができる。
【００６０】
次に、図４及び図５（ａ）に示すように、作業者は、このフォロープレート２２が取り付けられた容器２を、汲出し装置１３の昇降台２０上に載置する。ただし、作業者は、容器２を昇降台２０上に載置する前に、昇降ハンドル３４ａを回動操作して昇降台２０を所定の下降位置に下降させておく。
【００６１】
そして、図５（ｂ）に示すように、作業者は、昇降ハンドル３４ａを回動操作して、容器２が載置された昇降台２０を上昇移動させて、フォロープレート２２の装着孔２２ａにポンプ２１の吸込み口部２１ａを装着させる。そして、このように装着孔２２ａにポンプ２１の吸込み口部２１ａが装着している状態で、更に昇降ハンドル３４ａを同方向に所定の回転数だけ回動操作する。これによって、フォロープレート２２が貯留流体１４の流体面１４ａを、所定の力で押し付ける状態となるように設定することができる。このように、フォロープレート２２が流体面１４ａを所定の力で押し付ける状態にすることによって、後述するように、ポンプ２１の自吸力を向上させることができ、比較的高粘度の貯留流体１４を容器２から汲み出すことができる。
【００６２】
次に、ポンプ装置１５を駆動する。これによって、図６（ａ）に示すように、容器２内の貯留流体１４を、ポンプ２１の吸込み口部２１ａから吸い込んで流出口部１６から流出させ、更にフレキシブル管３８及び固定供給管２６に通して所定の供給場所に供給することができる。この際、フォロープレート２２の下面側に気泡Ｎや空気が存在していないこと、及び装着孔２２ａの内周面と、ポンプ２１の吸込み口部２１ａとの嵌合部が密封されるので、外気がこの嵌合部を通って容器２内に流入することがないことによって、ポンプ２１に吸い込まれる貯留流体１４中に空気が含まれることがなく、従って、貯留流体１４を所定流量でポンプ２１の流出口部１６から確実に流出させることができる。
【００６３】
また、図６（ａ）に示すように、容器２内の貯留流体１４をポンプ２１で汲み出しているときは、後述するように、容器２内の貯留流体１４の流体面１４ａが下降しようとすると、容器２がばね力及びポンプ２１の吸引力によって上昇移動する。従って、汲出し作業中において、容器２内の貯留流体１４の流体面１４ａにフォロープレート２２が配置されていて、このフォロープレート２２の装着孔２２ａにポンプ２１の吸込み口部２１ａが装着されている状態を維持することができ、容器２内の貯留流体１４を連続して汲み出すことができる。しかも、フォロープレート２２が容器２内の貯留流体１４の流体面１４ａを押し付ける力が、後述するように略一定となるようにすることができるので、貯留流体１４を安定した流量で汲み出すことができる。
【００６４】
また、図６（ａ）、（ｂ）に示すように、このフォロープレート２２によると、容器２内の貯留流体１４をポンプ２１によって汲み出していくと、フォロープレート２２は、同図に示す位置に固定支持された状態で容器２が上昇移動し、それにつれて、容器２の底部がフォロープレート２２に接近する方向に上昇移動する。
【００６５】
このとき、フォロープレート２２の外周部に設けられている掻き取り部４４が、容器２の側壁の内周面に付着する貯留流体１４を掻き取りながら容器２の底部に接近することとなる。よって、容器２の内周面に付着する貯留流体１４を、残さずに汲み出すことができる。
【００６６】
なお、貯留流体１４が袋体内に収容された状態で容器２内に貯留されている場合は、掻き取り部４４は、袋体の側壁の内周面に付着する貯留流体１４を掻き取りながら容器２の底部に接近することができる。よって、袋体の側壁の内周面に付着する貯留流体１４も、残さずに汲み出すことができる。
【００６７】
次に、図６（ｂ）に示すように、容器２内の貯留流体１４が少なくなり、貯留流体１４を所定流量で汲み上げることができなくなる手前の予め定めた量となったときは、この使用済みの容器２を、規定量の貯留流体１４が貯留されている別の容器２に交換する。
【００６８】
つまり、図６（ｂ）、図７、及び図２（ｂ）に示すように、作業者が昇降作動部３４の昇降ハンドル３４ａを操作して昇降台２０を下降移動させて、フォロープレート２２の装着孔２２ａをポンプ２１の吸込み口部２１ａから引き離す。そして、このフォロープレート２２が収容された使用済みの容器２を昇降台２０から取り外して、規定量の貯留流体１４が貯留されている新しい容器２を昇降台２０上に載置する。この新しい容器２には、図４及び図５（ａ）に示すように、予めフォロープレート２２が装着されている。
【００６９】
次に、図５（ｂ）及び図６（ａ）、（ｂ）に示すように、上記と同様の手順を行うことによって、フォロープレート２２の装着孔２２ａをポンプ２１の吸込み口１４ａに装着して、容器２内の貯留流体１４をポンプ２１で汲み出して、所定流量で流出口部１６から流出させることができる。
【００７０】
次に、図４〜図７を参照して、この実施形態に係る汲出し装置１３の作用を説明する。例えば図６（ａ）に示すように、容器２内の貯留流体１４がポンプ２１によって汲み出されて貯留流体１４の流体面１４ａの高さがｈ１だけ下降したときは、容器２内の貯留流体１４の重量がＧ（＝γ（比重量）×Ｄ（容器２内の横断面積）×ｈ１（流体面１４ａの減少高さ））だけ小さくなるので、貯留流体１４の減少重量Ｇに比例してばね３１の長さもそれに伴ってｈ２だけ短くなり、容器２がｈ２だけ上昇移動することとなる。
【００７１】
ここで、この実施形態では、ｈ１（流体面１４ａの減少高さ）＝ｈ２（容器２の上昇移動量）となるようにばね定数ｋを設定してある。つまり、ばね定数ｋは、
ばね定数ｋ＝γ×Ｄ×ｈ１÷ｈ２＝γ×Ｄ・・・・（１）
となっている。
【００７２】
これによって、容器２内の貯留流体１４の流体面１４ａの床３７からの高さＨが略一定に維持される。従って、容器２内の貯留流体１４の流体面１４ａにフォロープレート２２が配置されていて、このフォロープレート２２の装着孔２２ａにポンプ２１の吸込み口部２１ａが装着されている状態を維持することができ、容器２内の貯留流体１４を連続して安定した流量で汲み出すことができる。
【００７３】
よって、貯留流体１４の比重量γや容器２の内側の横断面積Ｄを変更する場合は、それに対応するばね定数ｋを（１）式で算出して、そのばね定数ｋのばねに取り替えて汲出し作業を行うようにするとよい。
【００７４】
そして、図６（ａ）に示すように、ポンプ２１が容器２内の貯留流体１４を汲み出しているときに、フォロープレート２２が容器２内の貯留流体１４の流体面１４ａを、略一定の力で押し付けているようにすることができる。
【００７５】
つまり、図５（ｂ）に示すように、作業者が昇降ハンドル３４ａを回動操作して、容器２を上昇移動させていき、フォロープレート２２の装着孔２２ａをポンプ装置１５の吸込み口部２１ａに当接させて、この状態から昇降ハンドル３４ａを更に同方向に所定回転数だけ回動操作する。これによって、フォロープレート２２が容器２内の貯留流体１４の流体面１４ａを、所定の力で押し付けている状態に設定することができる。この状態で、図６（ａ）に示すように、ポンプ２１によって容器２内の貯留流体１４の汲出し作業を行うと、この汲出し作業を開始したときから、図６（ｂ）に示すように汲出し作業を終了するまでの全期間において、フォロープレート２２が容器２内の貯留流体１４の流体面１４ａを、略一定の所定の力で押し付けているようにすることができる。
【００７６】
このフォロープレート２２が貯留流体１４の流体面１４ａを下方に向かって押し付けている力は、ポンプ２１の自吸力に加わる力として作用すると共に、汲出し作業中におけるフォロープレート２２の外周部の掻き取り部４４と、容器２の内周面２ａとの摩擦力に対抗する力としても作用させることができる。これによって、比較的高粘度の貯留流体１４を容器２内から安定した流量で汲み出せるようにすることができる。
【００７７】
そして、汲出し作業中において、フォロープレート２２が、適切な所定の一定の力で貯留流体１４の流体面１４ａを下方に向かって押し付けるように設定することができるので、フォロープレート２２の貯留流体１４の流体面１４ａに対する押付け力が大きくなり過ぎず、従って、フォロープレート２２の外周部の掻き取り部４４と、容器２の内周面２ａとの接触部分から容器２内の貯留流体１４が漏れ出て、貯留流体１４がフォロープレート２２の上面やポンプ装置１５の吸込み口部２１ａを汚すことがなく、クリーンな作業環境を実現することができる。
【００７８】
また、この実施形態では、図６（ａ）に示すように、ポンプ２１を支柱１８に固定して設けて、ポンプ２１が容器２内の貯留流体１４を汲み出しているときに、ポンプ２１及びこのポンプ２１に接続されているフレキシブル管３８の重量がフォロープレート２２に掛かることがないようにすると共に、容器２内に貯留されている貯留流体１４の流体面１４ａをフォロープレート２２に押し付ける上昇方向に、容器２をばね３１によって付勢する構成としたので、図５（ｂ）において、フォロープレート２２と流体面１４ａとが僅かな力で接触し合うように、昇降ハンドル３４ａを操作調整して、この状態で汲み上げ作業を行うようにすることもできる。このように設定すると、フォロープレート２２が容器２内の貯留流体１４の流体面１４ａを、略一定の僅かな力で押し付けている状態で汲出し作業を行うことができる。
【００７９】
また、図４に示すように、ポンプ装置１５が支柱１８に固定して取り付けられており、この支柱１８に沿って昇降移動しないので、ポンプ２１の流出口部１６にフレキシブル管３８を接続する場合でも、ポンプ２１が昇降移動できるようにフレキシブル管３８を余裕のある長さに設定するということが不要となる。従って、比較的短いフレキシブル管３８を使用することができるので、その分だけ汲出し装置１３全体の嵩を比較的小さくすることができる。
【００８０】
更に、図４〜図７に示すように、ポンプ装置１５を支柱１８に固定して取り付けた状態で汲出し作業ができる構成であるので、各容器２ごとの汲出し作業の度に、ポンプ２１を例えば昇降機構部１９から切り離すような作業をする必要がなく、汲出し作業を従来よりも簡単に行うことができる。そして、そのような切り離し操作をしなかったことによる不都合も起こり得ないので、容器２内の貯留流体１４を、安定して所定流量で汲み出すことができる。
【００８１】
そして、図４に示す汲出し装置１３によると、ポンプ２１として一軸偏心ねじポンプ２１を使用することによって、容器２内の貯留流体１４を効率よく、定流量で汲み出すことができる。そして、１本の支柱１８から成る構成とすることによって、構造が簡単で、設置スペースが少なく、費用が低減し、更に、支柱１８が汲出し作業の邪魔にならないような汲出し装置１３を提供することができる。また、昇降作動部３４を、手動式の巻上げ機とすることによって、昇降作動部３４のメンテナンスの軽減を図ることができる。
【００８２】
また、図２（ａ）、（ｂ）に示すように、ポンプ２１の吸込み口部２１ａを、先端側に向かって狭まるテーパ形状としたことによって、例えば予めフォロープレート２２を容器２内の貯留流体１４の流体面１４ａに配置しておき、その後で容器２を上昇させて、フォロープレート２２の装着孔２２ａにポンプ２１の吸込み口部２１ａを装着するときに、ポンプ２１の吸込み口部２１ａがフォロープレート２２の装着孔２２ａの内周面に案内されて、その吸込み口部２１ａを装着孔２２ａに確実に密封状態で装着させることができる。よって、貯留流体１４の汲出し作業を的確に行うことができる。
【００８３】
ただし、上記実施形態のフォロープレート２２では、図１（ａ）、（ｂ）に示すように、フォロープレート２２の装着孔２２ａにポンプ２１の吸込み口部２１ａを、着脱自在に装着できる構成としたが、これに代えて、フォロープレート２２の装着孔２２ａにポンプ２１の吸込み口部２１ａを、例えばボルトで締結した構成としてもよい。
【００８４】
また、上記実施形態のフォロープレート２２は、図１（ｃ）に示す構成としたが、これに代えて、図８（ａ）、（ｂ）に示す構成とすることができる。
【００８５】
この図８（ａ）、（ｂ）に示すフォロープレート４６は、全体として一定の厚みを有する略円板状体であって、外周部には円環状の掻き取り部４４が設けられている。そして、この掻き取り部４４の内周面に、透光性材料で形成された円環状の透光部４７が設けられ、この透光部４７の内周面に、円環状の装着部４８が設けられている。この装着部４８の内周面が装着孔２２ａを形成している。この掻き取り部４４及び装着部４８は、例えば柔軟性を有する発泡合成樹脂や発泡合成ゴムの独立気泡体で形成されている。そして、装着孔２２ａは、図１（ａ）、（ｂ）に示す装着孔２２ａと同等のものである。
【００８６】
この図８（ａ）、（ｂ）に示すフォロープレート４６は、透光部４７が設けられているので、図１（ｃ）に示す上記実施形態のフォロープレート２２と同様に、容器２内の貯留流体１４の流体面１４ａ上にフォロープレート４６を配置したときに、フォロープレート４６の下面と、容器２内の貯留流体１４の流体面１４ａとの間に気泡Ｎや空気層が形成されている場合は、作業者は、フォロープレート４６の透光部４７を通してその気泡Ｎや空気層を視認することができる。
【００８７】
更に、図１（ａ）に示す上記実施形態の容器２は、その全体を不透光性材料で形成したが、これに代えて、図９に示すように、この容器２の全体を透明又は半透明の透光性材料で形成してもよいし、容器２の側壁の全部、又は一部を透明又は半透明の透光性材料で形成してもよい。
【００８８】
このように構成した容器２によると、図９に示すように、容器２の内周面と、容器２内の貯留流体１４との間に気泡Ｎや空気層が形成されている場合は、作業者は、容器２の透光性材料で形成されている部分を通してその気泡Ｎや空気層を視認することができる。なお、貯留流体１４が袋体内に収容された状態で容器２内に貯留されている場合は、袋体を透光性材料で形成することによって、容器２の透光性材料で形成されている部分及び袋体を通してその気泡Ｎや空気層を視認することができる。
【００８９】
そして、上記実施形態の汲出し装置１３において、図１０に示すように、昇降台２０上に回転台４９を設け、この回転台４９上に容器２を載置する構成としてもよい。この回転台４９は、容器２の中心を通る鉛直方向の中心軸を中心にして容器２を回転させることができるものである。この回転台４９は、基台５０と、容器２が載置される載台５１とを備え、載台５１を電動機によって、又は手動によって所定方向に回転させることができるものである。
【００９０】
この回転台４９によると、例えばフォロープレート２２の下面と、容器２内の貯留流体１４の流体面１４ａとの間に気泡Ｎや空気層が形成されている場合や、容器２の内周面と、容器２内の貯留流体１４との間に気泡Ｎや空気層が形成されている場合に、容器２を回転させることによって、それら気泡Ｎ及び空気層を、容器２の中心部に移動させて寄せ集めることができる。そして、これらの気泡Ｎ及び空気は、装着孔２２ａから取り出すことができる。なお、これらの気泡Ｎ及び空気は、作業者がフォロープレート２２を貯留流体１４の流体面１４ａに押し付けることによって装着孔２２ａから取り出すことができる。又は、ポンプ２１の吸込み口を装着孔２２ａに装着して、ポンプ２１を作動させることによって、気泡Ｎ及び空気を取り出すこともできる。
【００９１】
また、上記実施形態では、図４〜図６に示すように、予めフォロープレート２２を容器２内の貯留流体１４の流体面１４ａに配置しておき、その後で容器２を上昇させることによって、フォロープレート２２の装着孔２２ａにポンプ２１の吸込み口部２１ａを装着したが、これに代えて、図には示さないが、予めフォロープレート２２をポンプ２１の吸込み口部２１ａに装着しておき、その後で容器２を上昇させることによって、フォロープレート２２を容器２内の貯留流体１４の流体面１４ａに接触させてもよい。
【００９２】
そして、上記実施形態では、図５（ａ）、（ｂ）に示すように、引っ張りばね３１を使用して昇降台２０を上昇方向に付勢する構成としたが、引っ張りばね３１に代えて、圧縮ばねを使用して昇降台２０を上昇方向に付勢する構成としてもよい。つまり、容器２に貯留流体１４が貯留されている状態では、貯留流体１４の重量によって圧縮ばねが圧縮されて、容器２が図５（ｂ）に示す高さに保持されるようにする。そして、容器２内の貯留流体１４がポンプ２１によって汲み出されて減少していくと、容器２内の貯留流体１４の重量の減少によって、圧縮ばねが伸長して、容器２が図６（ａ）、（ｂ）に示す高さに上昇移動するようにばね定数を設定する。
【００９３】
また、上記実施形態では、図２（ａ）、（ｂ）に示すように、フォロープレート２２の外周部の掻き取り部４４と、容器２の内周面２ａとの接触部を密封する構成としたが、これに代えて、その接触部が密閉されずに、フォロープレート２２の外周部の掻き取り部４４が、容器２の内周面２ａに付着する貯留流体１４を掻き取ることができる程度の接触部の構成としてもよい。また、フォロープレート２２の外周部の掻き取り部４４と、容器２の内周面２ａとの間に隙間が形成されるようなフォロープレートを使用してもよい。更に、この掻き取り部４４を省略してもよい。
【００９４】
更に、上記実施形態では、図５（ａ）、（ｂ）に示すように、昇降機構部１９として作業者が手で操作するものを例に挙げたが、これ以外の例えば電動モータや、油圧式、空気圧式の駆動部によって昇降台２０を昇降移動させるようにしてもよい。
【００９５】
そして、上記実施形態では、図４に示すように、ポンプ２１の流出口部１６に、ホース等のフレキシブル管３８を介して固定供給管２６を接続したが、これに代えて、ポンプ２１の流出口部１６に直接に固定供給管２６を接続してもよい。
【００９６】
また、上記実施形態では、図５（ａ）、（ｂ）に示すように、容器２が載置されている昇降台２０を引っ張りばね３１で吊り上げながら容器２内の貯留流体１４をポンプ２１で汲み出す汲出し装置１３に、本発明のフォロープレート２２、４６及び容器２を適用したが、これ以外の汲出し装置に本発明のフォロープレート２２、４６及び容器２を適用することができる。例えば、本発明のフォロープレート２２、４６及び容器２を、ポンプ２１が下降移動しながら容器２内の貯留流体１４を汲み出す汲出し装置に適用することができる。
【００９７】
更に、貯留流体１４として透光性を有するものを使用した場合は、フォロープレート２２、４６及び容器２の透光性材料で形成した部分を通して、容器２内の貯留流体１４に混入している気泡Ｎや空気層を視認することができる。そして、貯留流体１４として粉粒体を使用した場合は、フォロープレート２２、４６及び容器２の透光性材料で形成した部分を通して、容器２内の粉粒体が流動化しているか否かを視認することができる。粉粒体が流動化していると、この粉粒体を一定流量で汲み出すことができる。
【００９８】
そして、上記実施形態では、図９に示すように、フォロープレート２２の下面側や容器２の内周面側に形成される気泡Ｎや空気層を視認できることを例に挙げて説明したが、これらフォロープレート２２の下面側や容器２の内周面側に存在している貯留流体１４の例えば品質や色を視認して検査することができる。
【００９９】
例えば、液体の貯留流体１４によっては、常温でも熱の影響で硬化、変色するものがあり、このような硬化、変色を視認によって検査することができる。そして、このように硬化、変色した貯留流体１４を視認したときは、その部分が使用されないように除去することができる。
【０１００】
また、上記実施形態では、フォロープレート及び容器の全部又はその一部を透光性材料で形成したが、この透光性材料の透光度（透明度）は、気泡Ｎ、空気層、又は貯留流体の変質や変色を視認して検査するそれぞれの目的に応じて規定すればよい。
【産業上の利用可能性】
【０１０１】
以上のように、本発明に係る汲出し装置用フォロープレートは、フォロープレートの下面と、流体面との間に形成された気泡や空気層を外部から視認することができ、汲出し装置用容器は、容器の側壁と、貯留流体との間に形成された気泡や空気層を外部から視認することができ、汲出し装置は、比較的安価であって小型化することができ、フォロープレートと容器との当接部からの流体の漏れによってフォロープレートを汚すことを防止できる優れた効果を有し、このような汲出し装置用フォロープレート、汲出し装置用容器、及び汲出し装置に適用するのに適している。
【図面の簡単な説明】
【０１０２】
【図１】この発明の一実施形態に係る汲出し装置用フォロープレートを容器に挿入する手順を説明するための図であり、（ａ）はフォロープレートを容器に挿入して空気を排出する状態を示す縦断面図、(ｂ)はその平面図、（ｃ）はフォロープレートを容器内の貯留流体の流体面に配置した状態を示す縦断面図、（ｄ）は図１（ｃ）に示すフォロープレートの下面と流体面との間に気泡が形成されている状態を示す縦断面図である。
【図２】同実施形態のフォロープレートに対してポンプを着脱する手順を説明するための図であり、（ａ）はフォロープレートの装着孔にポンプの吸込み口部を装着した状態を示す縦断面図、(ｂ)はその装着孔からポンプの吸込み口部を外した状態を示す縦断面図である。
【図３】同発明の一実施形態に係る汲出し装置を使用して容器内の貯留流体を汲み出している状態を示す拡大縦断面図である。
【図４】同実施形態に係る汲出し装置を示す斜視図である。
【図５】同実施形態に係る汲出し装置を使用して容器内の貯留流体を汲出す手順を説明するための図であり、（ａ）は下降位置にある昇降台上に容器を載置した状態を示す部分断面正面図、(ｂ)は昇降台を上昇させて容器内に配置されているフォロープレートの装着孔をポンプの吸込み口部に装着した状態を示す部分断面正面図である。
【図６】同実施形態に係る汲出し装置を使用して容器内の貯留流体を汲出す手順を説明するための図であり、（ａ）はポンプによって容器内の貯留流体の一部を汲み出した状態を示す部分断面正面図、(ｂ)はポンプによって容器内の貯留流体の略全部を汲み出した状態を示す部分断面正面図である。
【図７】同実施形態に係る汲出し装置を使用して容器内の貯留流体を汲み出した後に昇降台を下降位置に下降させた状態を示す部分断面正面図である。
【図８】この発明の他の実施形態に係るフォロープレートが容器に装着された状態を示し、（ａ）は縦断面図、（ｂ）は平面図である。
【図９】この発明の他の実施形態に係る容器にフォロープレートが装着された状態を示す縦断面図である。
【図１０】この発明の他の実施形態に係る汲出し装置を示す部分断面正面図である。
【図１１】従来の汲出し装置を使用して容器内の貯留液を汲出す手順を説明するための図であり、（ａ）は上昇位置にあるポンプ装置の下方位置に液体が貯留されている容器を配置した状態を示す正面図、（ｂ）はポンプ装置を下降させてフォロープレートの下面を容器内の液体の液面に接触させた状態を示す正面図、（ｃ）はポンプ装置によって容器内の液体を汲み出している状態を示す正面図である。
【図１２】図１１（ｂ）に示すフォロープレートの下面と液面との間に気泡が形成されている状態を示す拡大縦断面図である。
【符号の説明】
【０１０３】
２  容器
２ａ  内周面
１３  汲出し装置
１４  貯留流体
１４ａ  流体面
１５  ポンプ装置
１６  流出口部
１７  ブラケット
１８  支柱
１９  昇降機構部
２０  昇降台
２１  ポンプ
２１ａ  吸込み口部
２１ｂ  鍔状部
２２、４６  フォロープレート
２２ａ  装着孔
２３  ポンプケーシング
２４  減速機
２５  電動モータ
２６  固定供給管
２７  台座
２８  レール
２９  スライド部
３０  連結具
３１  引っ張りばね
３２  引っ掛け部
３３  チェーン
３４  昇降作動部
３４ａ  昇降ハンドル
３５  安全カバー
３６  操作制御ボックス
３７  床
３８  フレキシブル管
３９  ロータ
４０  ステータ
４０ａ  内孔
４１  コネクティングロッド
４２  ユニバーサルジョイント
４３  プレート本体
４４  掻き取り部
４５  空洞
４７  透光部
４８  装着部
４９  回転部
５０  基台
５１  載台
Ｎ  気泡
【図１】
2009185626.tif 000003
【図２】
2009185626.tif 000004
【図３】
2009185626.tif 000005
【図４】
2009185626.tif 000006
【図５】
2009185626.tif 000007
【図６】
2009185626.tif 000008
【図７】
2009185626.tif 000009
【図８】
2009185626.tif 000010
【図９】
2009185626.tif 000011
【図１０】
2009185626.tif 000012
【図１１】
2009185626.tif 000013
【図１２】
2009185626.tif 000014